(57)【要約】【課題】使用後の内容物を再度収容することのできる包装袋を提供する。【解決手段】矩形状のシート材１１の対向する端部同士を重ねて接合した第１接合部１２と、第１接合部１２が形成された筒状のシート材１１の両端を接合した第２接合部１３，１４と、を備え、その内部に内容物Ｐを収容する包装袋１０において、包装袋１０は、第２接合部１３の一方から他方に向かう破断方向に沿ってシート材１１が破断されることで開封され、シート材１１の他方の第２接合部１４から所定距離離間した位置には、包装袋１０の開封時、破断方向に沿って進行するシート材１１の破断を制止させるフィルム材１７が備えられ、包装袋１０の開封後、包装袋１０におけるフィルム材１７から他方の第２接合部１４までの間の空間には、内容物Ｐを収容可能である。【選択図】図１
2014193739.tif 000002
【特許請求の範囲】
【請求項１】
矩形状のシート材の対向する端部同士を重ねて接合した第１接合部と、
前記第１接合部が形成された筒状の前記シート材の両端を接合した第２接合部と、を備え、その内部に内容物を収容する包装袋において、
前記包装袋は、前記第２接合部の一方から他方に向かう破断方向に沿って前記シート材が破断されることで開封され、
前記シート材の前記他方の第２接合部から所定距離離間した位置には、前記包装袋の開封時、前記破断方向に沿って進行する前記シート材の破断を制止させる破断制止部材が備えられ、
前記包装袋の開封後、前記包装袋における前記破断制止部材から前記他方の第２接合部までの間の空間には、前記内容物を収容可能であることを特徴とする包装袋。
【請求項２】
前記一方の第２接合部における前記シート材の外面側には、接着剤層を有する係止部が備えられ、
前記包装袋は、前記一方の第２接合部から、前記破断方向に沿って帯状部を形成しつつ前記シート材を破断することで開封されることを特徴とする請求項１に記載の包装袋。
【請求項３】
前記一方の第２接合部における前記シート材の内面側には、剥離及び再接着可能な接着剤層が備えられ、
前記包装袋は、前記一方の第２接合部から、前記破断方向に沿って帯状部を形成しつつ前記シート材を破断することで開封されることを特徴とする請求項１に記載の包装袋。
【請求項４】
前記包装袋の外面に一端が固定される帯状の後処理部材を備えることを特徴とする請求項１〜３の何れか一項に記載の包装袋。
【請求項５】
前記包装袋には、前記破断方向に沿って延在し前記シート材の破断を補助する破断補助部が備えられていることを特徴とする請求項１〜４の何れか一項に記載の包装袋。
【請求項６】
前記包装袋における開封の開始点には、使用者が摘むための摘み部が備えられていることを特徴とする請求項１〜５の何れか一項に記載の包装袋。
【発明の詳細な説明】
【技術分野】
【０００１】
本発明は、包装袋に関する。
【背景技術】
【０００２】
従来、おしぼり等の内容物を個別に包装するための、フィルムなどの軟包装材料からなる包装袋が知られている。
包装袋としては、筒状に折り曲げたシート材の両端を重ねて接合した第１接合部と、その筒の両端を閉じるように接合した第２接合部と、を備え、内部の収容空間に内容物を収容するピロー型と称される包装袋が知られている。
かかるピロー型の包装袋としては、包装袋を破断しその全長に亘って切り裂き部を形成するための易開封手段を第１接合部に近接して設け、上記切り裂き部をきっかけとして包装袋を展開することのできる構成が提案されている（例えば、特許文献１参照）。
【先行技術文献】
【特許文献】
【０００３】
【特許文献１】特開２００５−３４８９６８号公報
【発明の概要】
【発明が解決しようとする課題】
【０００４】
ところで、こうした包装袋に収容されたおしぼり等の内容物は、例えば、便、尿、血液、吐瀉物などの汚れを拭うのに使用されるため、使用後に破棄する際にそのままの状態では周囲の環境（空気やゴミ箱内外など）を汚染する可能性がある。
このため、使用後の内容物を破棄する際には、当該使用後の内容物を何らかの包装袋にて包みたいが、破棄のためだけに新たな包装袋を用意するのは煩雑であり、内容物が元々収容されていた包装袋を使用後の内容物を包むのに再利用したいという要望があった。
しかしながら、上記特許文献１に記載の包装袋では、使用時に一旦切り裂いてしまうと包装袋が展開してしまうので、内容物を収容する包装袋としての機能は失われてしまう。
【０００５】
本発明の目的は、使用後の内容物を再度収容することのできる包装袋を提供することである。
【課題を解決するための手段】
【０００６】
以上の課題を解決するため、
請求項１に記載の発明は、
矩形状のシート材の対向する端部同士を重ねて接合した第１接合部と、
前記第１接合部が形成された筒状の前記シート材の両端を接合した第２接合部と、を備え、その内部に内容物を収容する包装袋において、
前記包装袋は、前記第２接合部の一方から他方に向かう破断方向に沿って前記シート材が破断されることで開封され、
前記シート材の前記他方の第２接合部から所定距離離間した位置には、前記包装袋の開封時、前記破断方向に沿って進行する前記シート材の破断を制止させる破断制止部材が備えられ、
前記包装袋の開封後、前記包装袋における前記破断制止部材から前記他方の第２接合部までの間の空間には、前記内容物を収容可能であることを特徴とする。
【０００７】
また、請求項２に記載の発明は、請求項１に記載の包装袋において、
前記一方の第２接合部における前記シート材の外面側には、接着剤層を有する係止部が備えられ、
前記包装袋は、前記一方の第２接合部から、前記破断方向に沿って帯状部を形成しつつ前記シート材を破断することで開封されることを特徴とする。
【０００８】
また、請求項３に記載の発明は、請求項１に記載の包装袋において、
前記一方の第２接合部における前記シート材の内面側には、剥離及び再接着可能な接着剤層が備えられ、
前記包装袋は、前記一方の第２接合部から、前記破断方向に沿って帯状部を形成しつつ前記シート材を破断することで開封されることを特徴とする。
【０００９】
また、請求項４に記載の発明は、請求項１〜３の何れか一項に記載の包装袋において、
前記包装袋の外面に一端が固定される帯状の後処理部材を備えることを特徴とする。
【００１０】
また、請求項５に記載の発明は、請求項１〜４の何れか一項に記載の包装袋において、
前記包装袋には、前記破断方向に沿って延在し前記シート材の破断を補助する破断補助部が備えられていることを特徴とする。
【００１１】
また、請求項６に記載の発明は、請求項１〜５の何れか一項に記載の包装袋において、
前記包装袋における開封の開始点には、使用者が摘むための摘み部が備えられていることを特徴とする。
【発明の効果】
【００１２】
本発明によれば、開封後の包装袋により、使用後の内容物を再度収容することができる。
【図面の簡単な説明】
【００１３】
【図１】本発明に係る包装袋を示す斜視図である。
【図２】図１のII-II線における断面図である。
【図３】図１のIII-III線における断面図である。
【図４】図１の包装袋を開封した状態を示す斜視図である。
【図５】図４の包装袋を再包装に使用した状態を示す斜視図である。
【図６】図５の包装袋のスリットを塞いだ状態を示す斜視図である。
【図７】図６の包装袋の廃棄時の状態を示す斜視図である。
【図８】本発明の包装袋の変形例を示す斜視図である。
【図９】本発明の包装袋の変形例を示す斜視図である。
【図１０】本発明の包装袋の変形例を示す斜視図である。
【図１１】本発明の包装袋の変形例を示す斜視図である。
【図１２】本発明の包装袋の変形例を示す斜視図である。
【発明を実施するための形態】
【００１４】
以下に、図を参照しつつ、本発明の実施の形態を詳細に説明する。但し、発明の範囲は、図示例に限定されない。
【００１５】
先ず、本実施形態の包装袋１０の構成について説明する。
なお、以下の説明では、包装袋１０の平面視長手方向を左右方向、平面視短手方向を前後方向、高さ方向を上下方向とする。
【００１６】
包装袋１０は、図１〜３に示すように、矩形状のシート材１１を折り曲げ、互いに平行な対向する端縁同士を重ねた状態で接合した第１接合部１２と、第１接合部１２の形成されたシート材１１の両端を閉じるように、その両端において重なったシート材１１を接合した第２接合部１３，１４と、を備えたピロー型と称される包装袋である。
包装袋１０の内部には、例えば、ウエット状態或いはドライ状態のおしぼり等の内容物Ｐが収容されている。
【００１７】
シート材１１は、図２、３に示すように、基材層１１１及び熱接着層１１２からなる二層構造である。
基材層１１１は、例えば、２軸延伸ポリエチレンテレフタレート（ＰＥＴ）、２軸延伸ポリプロピレン（ＯＰＰ）、２軸延伸ナイロン（ＯＮ）等を用いることができる。
また、熱接着層１１２は、例えば、低密度ポリエチレン（ＬＤＰＥ）、線状低密度ポリエチレン（ＬＬＤＰＥ）、エチレン−酢酸ビニル共重合体（ＥＶＡ）、未延伸ポリプロピレン（ＣＰＰ）等を用いることができる。
シート材１１は、基材層１１１が外側で、熱接着層１１２が内側となるようにして折られ、開放した３つの縁部に所定の熱処理が施されることで、上下の対向する縁部同士が融着されて接合され、第１接合部１２と第２接合部１３，１４とが形成された筒状体となる。以下、この筒状体を形成するシート材１１の上側を上側部１１ａとし、下側を下側部１１ｂとする。
なお、シート材１１は、二層構造に限定されるものではなく、基材層１１１及び熱接着層１１２の間に所定の機能層を一乃至複数設けた三層以上の構成とすることもできる。
【００１８】
また、第２接合部１３において、シート材１１の上側部１１ａの外面側には、接着剤層１５ａと、当該接着剤層１５ａから剥離可能な剥離層１５ｂとを有する係止部１５が備えられている。
接着剤層１５ａとしては、例えば、アクリル系ポリマー等を用いることができる。また、剥離層１５ｂは、接着剤層１５ａから剥離可能な素材であれば特に限定はない。
なお、係止部１５の形状に特に限定はない。また、係止部１５は、シート材１１の下側部１１ｂの外面側に備えられる構成であっても良い。
また、第２接合部１３において、係止部１５の近傍には、開封を開始するためのノッチ部を設けるようにしても良い。
【００１９】
また、包装袋１０においては、左右方向略中央部において、前後方向に沿って延在する線状のフィルム材１７が備えられている。フィルム材１７は、包装袋１０のシート材１１の内面に備えても良く、外面に備えても良い。
かかるフィルム材１７は、破断制止部材として、包装袋１０の開封時に、左右方向に進行するシート材１１の破断を制止するためのものである。即ち、シート材１１にフィルム材１７が備えられていることにより、左右方向の一端から他端に向かって進行するシート材１１の破断が阻まれ、包装袋１０のフィルム材１７より他端側の形状が保たれるようになっている。
フィルム材１７は、例えば可撓性を有する合成樹脂等からなり、その素材は、特に制限されないが、例えば、ポリエチレン（ＰＥ）、ポリプロピレン（ＰＰ）、ポリエチレンテレフタラート（ＰＥＴ）等をフィルム状にしたもの等が使用される。また、フィルム材１７は、例えば１５〜８０μｍの厚さに形成される。
【００２０】
次に、包装袋１０の内部に収容している内容物Ｐを使用する際の手順について説明する。
ここでは、包装袋１０を、一方の第２接合部１３から他方の第２接合部１４に向かう方向に破断する場合を例示して説明する。
【００２１】
包装袋１０を開封する場合、図４に示すように、使用者は、包装袋１０の第２接合部１３の一部（開封開始点Ａという）を摘まみ、その状態で後ろ方向に引っ張る。これにより、右方向に沿って所定幅を有する帯状部１８及びスリットＳが形成されつつシート材１１が破断されていく。
開封開始点Ａから右方向に進行するシート材１１の破断は、破断方向と略直交するフィルム材１７に達した時点でフィルム材１７により阻まれる。即ち、シート材１１がフィルム材１７により補強されていることで、その破断が阻害され、帯状部１８及びスリットＳの形成が制止される。
この状態において、包装袋１０のフィルム材１７より左側の部分は開封され、スリットＳから内容物Ｐを取り出すことが可能となる一方で、フィルム材１７より右側の部分は、元の袋の形状を保つこととなる。
次いで、使用者は、スリットＳから内容物Ｐを取出して、身体拭き等に使用する。
【００２２】
内容物Ｐの使用が終了すると、使用者は、その使用済みの内容物Ｐを、包装袋１０に再包装することができる。
内容物Ｐを包装袋１０に再包装する場合、図５に示すように、使用者は、包装袋１０のフィルム材１７より右側の元の袋の形状を保っている部分に内容物Ｐを詰め込む。
その後、図６に示すように、使用者は、包装袋１０のフィルム材１７より左側の部分を折り畳む或いは丸める等してスリットＳを塞ぎ、その小さくした状態の包装袋１０に帯状部１８を巻きつけ、図７に示すように、帯状部１８の先端部の接着剤層１５ａにより係止する。
これにより使用済みの内容物Ｐは再包装され、その状態にて廃棄される。
【００２３】
以上のように、本実施形態によれば、矩形状のシート材１１の対向する端部同士を重ねて接合した第１接合部１２と、第１接合部１２が形成された筒状のシート材１１の両端を接合した第２接合部１３，１４と、を備え、その内部に内容物Ｐを収容する包装袋１０において、包装袋１０は、第２接合部１３の一方から他方に向かう破断方向に沿ってシート材１１が破断されることで開封され、シート材１１の他方の第２接合部１４から所定距離離間した位置には、包装袋１０の開封時、破断方向に沿って進行するシート材１１の破断を制止させるフィルム材１７が備えられ、包装袋１０の開封後、包装袋１０におけるフィルム材１７から他方の第２接合部１４までの間の空間には、内容物Ｐを収容可能である。
このため、開封後の包装袋１０により、使用後の内容物Ｐを再度収容することができる。
また、包装袋１０が一方の第２接合部１３から他方の第２接合部１４に向かう破断方向に沿って破断されることで開封されるので、前後方向に開封する場合と比較して、開封後に内容物Ｐを取出しやすい構成とすることができる。
即ち、開封時に内容物Ｐを取出しやすく、且つ内容物Ｐの再度の収容に利用可能な包装袋１０とすることができる。
【００２４】
また、本実施形態によれば、一方の第２接合部１３におけるシート材１１の外面側には、接着剤層１５ａと、当該接着剤層１５ａから剥離可能な剥離層１５ｂとを有する係止部１５が備えられ、包装袋１０は、一方の第２接合部１３から、破断方向に沿って帯状部１８を形成しつつシート材１１を破断することで開封される。
このため、使用後の内容物Ｐを収容した後、スリットＳを塞いで小さくした状態の包装袋１０に帯状部１８を巻きつけることができることとなる。
よって、内容物Ｐの使用後の廃棄時に、包装袋１０がその剛性により元の形状に戻ろうとするのを抑え、包装袋１０を小さくした状態にて保持することができるので、使用済みの内容物Ｐが、包装袋１０からはみ出しで周囲の環境を汚染するのを防止することができる。
【００２５】
なお、具体的な細部構造等については、適宜に変更可能であることは勿論である。
【００２６】
例えば、図８に示すように、包装袋１０に、シート材１１の破断を補助するための破断補助部として切り取り線２１を設けると共に、第２接合部１３における切り取り線２１の始点、即ち、包装袋１０における開封開始点Ａに、摘み部２２を備えることとしても良い。
切り取り線２１は、第２接合部１３の外側の端部１３ａからフィルム材１７に至るまでの間、左右方向に沿って延在しており、このためシート材１１の破断を行いやすくすることができる。
また、摘み部２２は、使用者がシート材１１の破断を開始する際（包装袋１０の開封開始時）に摘むためのものであって、かかる摘み部２２を設けることで引っ張る力を付与しやすくすることができる。
かかる構成とすることにより、包装袋１０をより容易に開封することができる。
なお、図示は省略するが、切り取り線２１又は摘み部２２のどちらか一方のみを備えることとしても良い。
また、切り取り線２１の長さや摘み部２２の取り付け方向は、適宜変更可能である。
【００２７】
また、図９に示すように、切り取り線２１及び摘み部２２の代わりに、包装袋１０に、シート材１１の破断を補助するための破断補助部としてカットシート２３を設けることとしても良い。
カットシート２３は、第２接合部１３の外側の端部１３ａからフィルム材１７に至るまでの間、左右方向に沿って延在するよう備えられる。
かかる構成であっても、包装袋１０をより容易に開封することができる。
なお、カットシート２３の長さや取り付け位置は、適宜変更可能である。
【００２８】
また、図１０に示すように、第２接合部１３におけるシート材１１の上側部１１ａの内面側に、剥離及び再接着可能な接着剤層１６が備えられた包装袋１０Ａとすることもできる。この場合、第２接合部１３におけるシート材１１の上側部１１ａの一部が開封開始点Ａとして下側部１１ｂから剥がされ、ここから破断方向に沿って帯状部１８Ａを形成しつつシート材１１の上側部１１ａのみを破断することで包装袋１０Ａが開封される。
また、包装袋１０Ａの開封時に形成される帯状部１８Ａの先端部の内面側が、接着剤層１６により再接着可能な状態となっている。
なお、かかる構成とする場合には、第２接合部１３におけるシート材１１の下側部１１ｂの内面側に、接着剤層１６と対向させて剥離層（図示省略）を設け、上側部１１ａを剥離可能とすることが好ましい。
かかる構成であっても、使用後の内容物Ｐを収容した後、スリットＳを塞いで小さくした状態の包装袋１０Ａに帯状部１８Ａを巻きつけることができることとなり、包装袋１０Ａを小さくした状態にて保持することができる。
【００２９】
また、包装袋１０Ａにおいても、図１１に示すように、シート材１１の上側部１１ａに、当該上側部１１ａの破断を補助するための切り取り線２１を設けると共に、第２接合部１３における切り取り線２１の始点、即ち、包装袋１０における開封開始点Ａに、摘み部２２を備えることとしても良い。
かかる構成とすることにより、包装袋１０Ａをより容易に開封することができる。
なお、図示は省略するが、切り取り線２１又は摘み部２２のどちらか一方のみを備えることとしても良い。
【００３０】
また、図１２に示すように、包装袋１０及び包装袋１０Ａの何れの場合においても、帯状の後処理部材２４を備えることとしても良い。
後処理部材２４は、例えば、包装袋１０，１０Ａの外面に対して固定される固定部２４ａと、固定部２４ａから延出する延出部２４ｂと、延出部２４ｂの先端に設けられた接着剤層２４ｃと、を備えた樹脂フィルムである。
後処理部材２４は、左右方向中央部から左よりの位置において、後ろ方向に突出するように固定されている。
かかる構成であっても、使用後の内容物Ｐを収容した後、スリットＳを塞いで小さくした状態の包装袋１０，１０Ａに後処理部材２４を巻きつけることができることとなり、包装袋１０，１０Ａを小さくした状態にて保持することができる。
なお、こうした後処理部材２４を備える場合には、係止部１５或いは接着剤層１６を備えない構成であっても良い。
【００３１】
また、後処理部材２４としては、上記した樹脂フィルム以外にも、例えば、紐、ゴム、紙等を用いることとしても良い。
後処理部材２４として、紐を用いる場合には、その先端に接着剤層２４ｃを設けず、包装袋１０，１０Ａに後処理部材２４を巻きつけた状態で縛ることで、包装袋１０，１０Ａを丸めた状態で保持することとしても良い。
【００３２】
また、後処理部材２４を設ける位置に特に限定はなく、例えば、図１２に仮想線（二点鎖線）で示すように、第２接合部１４から右方向に突出した後処理部材２４Ａ、後ろ方向に突出した後処理部材２４Ｂ、第２接合部１３から左方向に突出した後処理部材２４Ｃ等としても良い。
【００３３】
また、上記実施形態においては、破断制止部材として、前後方向に沿って延在する長尺なフィルム材１７を例示して説明したが、破断制止部材は、シート材１１の破断進行線上に設けられたものであれば良く、その形状は限定されない。
また、上記実施形態においては、開封時に帯状部１８，１８Ａが形成される構成を例示して説明したが、シート材１１の上側部１１ａに幅を有さない線状のスリットＳが形成されることとしても良い。
【符号の説明】
【００３４】
１０、１０Ａ  包装袋
１１  シート材
１１ａ  上側部
１１ｂ  下側部
１１１  基材層
１１２  熱接着層
１２  第１接合部
１３、１４  第２接合部
１５  係止部
１５ａ  接着剤層
１５ｂ  剥離層
１６  接着剤層
１７  フィルム材
１８、１８Ａ  帯状部
２１  切り取り線（破断補助部）
２２  摘み部
２３  カットシート（破断補助部）
２４、２４Ａ、２４Ｂ、２４Ｃ  後処理部材
２４ａ  固定部
２４ｂ  延出部
２４ｃ  接着剤層
Ａ  開封開始点
Ｐ  内容物
Ｓ  スリット
【図１】
2014193739.tif 000003
【図２】
2014193739.tif 000004
【図３】
2014193739.tif 000005
【図４】
2014193739.tif 000006
【図５】
2014193739.tif 000007
【図６】
2014193739.tif 000008
【図７】
2014193739.tif 000009
【図８】
2014193739.tif 000010
【図９】
2014193739.tif 000011
【図１０】
2014193739.tif 000012
【図１１】
2014193739.tif 000013
【図１２】
2014193739.tif 000014